(57)【特許請求の範囲】
【請求項１】
無線基地局装置と移動端末との間を無線リンクで接続する無線通信システムの送信電力制御方法であって、
前記無線基地局装置から送信された測定情報に基づいて前記移動端末でダウンリンクの品質を測定し、測定したダウンリンクの品質が前記測定情報に含まれる第１閾値未満のとき前記移動端末から前記無線基地局装置に対し品質劣化エリア在圏通知を行い、
前記品質劣化エリア在圏通知を受信した前記無線基地局装置は、前記移動端末から送信される基準信号を受信してアップリンクの品質を測定し、測定したアップリンクの品質が予め設定された第２閾値未満のとき前記移動端末の送信電力を決定するための目標電力を増加して前記移動端末に通知する
ことを特徴とする送信電力制御方法。
【請求項２】
請求項１記載の送信電力制御方法において、
前記無線基地局装置から送信された測定情報に基づいて前記移動端末で測定したダウンリンクの品質が前記測定情報に含まれる第１閾値以上のとき前記移動端末から前記無線基地局装置に対し品質良好エリア在圏通知を行い、
前記品質良好エリア在圏通知を受信した前記無線基地局装置は前記移動端末の目標電力を初期値に変更して前記移動端末に通知する
ことを特徴とする送信電力制御方法。
【請求項３】
無線基地局装置と移動端末との間を無線リンクで接続する無線通信システムの無線基地局装置であって、
ダウンリンクの品質の測定を指示する測定情報を前記移動端末に送信する測定情報送信手段と
前記測定情報を受信した前記移動端末で測定したダウンリンクの品質が前記測定情報に含まれる第１閾値未満のとき前記移動端末から送信される品質劣化エリア在圏通知を受信したのち前記移動端末から送信される基準信号を受信してアップリンクの品質を測定し、測定したアップリンクの品質が予め設定された第２閾値未満のとき前記移動端末の送信電力を決定するための目標電力を増加して前記移動端末に通知する送信電力更新手段と、
を有することを特徴とする無線基地局装置。
【請求項４】
請求項３記載の無線基地局装置において、
送信電力更新手段は、前記測定情報を受信した前記移動端末で測定したダウンリンクの品質が前記測定情報に含まれる第１閾値以上のとき前記移動端末から送信される品質良好エリア在圏通知を受信したとき前記移動端末の目標電力を初期値に変更して前記移動端末に通知する
ことを特徴とする無線基地局装置。
【発明の詳細な説明】
【技術分野】
【０００１】
本発明は、送信電力制御方法及び無線基地局装置に関する。
【背景技術】
【０００２】
近年、ＬＴＥ（Ｌｏｎｇ  Ｔｅｒｍ  Ｅｖｏｌｕｔｉｏｎ）システム等の無線通信システムが開発されている。ＬＴＥの無線基地局装置（ｅＮＢ：ｅｖｏｌｖｅｄ  ＮｏｄｅＢとも呼ぶ）が形成するセル内では、電源投入時などに移動端末を無線通信システムに登録するアタッチ時や通信中において、移動端末は無線基地局装置が保有している固定の目標電力値に基づいて送信電力を決定し信号送信を行っている。
【０００３】
ところで、自宅や会社等といった基地局装置との接続環境の変化がない場所において、移動端末と基地局装置に通信に必要な情報を予め登録しておき、共通チャネルが繋がらない環境でも移動端末及び基地局装置の双方で固定通信環境情報を設定し、共通チャネルよりも大きな送信電力を個別チャネルから送受信することにより個別チャネルのみで通信を行う技術が提案されている（例えば特許文献１参照）。
【０００４】
また、物理的チャンネルに配信されたアクティブなサービスの中から所定の選択方法を用いて１つのサービスを選択し、物理的チャンネルの電力制御を先導するように選択されたサービスの搬送波／干渉ターゲットを設定する技術が提案されている（例えば特許文献２参照）。
【先行技術文献】
【特許文献】
【０００５】
【特許文献１】特開２００４−３５０１９６号公報
【特許文献２】特表２００２−５１１７２０号公報
【発明の概要】
【発明が解決しようとする課題】
【０００６】
無線基地局装置が形成するセルにおいて、ビル陰のような通信品質が劣化している環境では、移動端末がアタッチ時や通信中に無線区間における同期外れにより、ＲＲＣ（Ｒａｄｉｏ  Ｒｅｓｏｕｒｃｅ  Ｃｏｎｔｒｏｌ）コネクションつまり無線リンクが切断される場合がある。この場合、ＲＲＣコネクションの再接続動作を行ってもＲＲＣコネクションが繋がらないために移動端末が再接続動作を継続して行うケースがあり、移動端末が再度データ通信をできるようになるまでに時間を要するという問題があった。
【０００７】
開示の送信電力制御方法は、品質劣化エリアにおける移動端末との間の無線リンクの切断を抑制することを目的とする。
【課題を解決するための手段】
【０００８】
開示の一実施形態による送信電力制御方法は、無線基地局装置と移動端末との間を無線リンクで接続する無線通信システムの送信電力制御方法であって、
前記無線基地局装置から送信された測定情報に基づいて前記移動端末でダウンリンクの品質を測定し、測定したダウンリンクの品質が前記測定情報に含まれる第１閾値未満のとき前記移動端末から前記無線基地局装置に対し品質劣化エリア在圏通知を行い、
前記品質劣化エリア在圏通知を受信した前記無線基地局装置は、前記移動端末から送信される基準信号を受信してアップリンクの品質を測定し、測定したアップリンクの品質が予め設定された第２閾値未満のとき前記移動端末の送信電力を決定するための目標電力を増加して前記移動端末に通知する。
【発明の効果】
【０００９】
本実施形態によれば、品質劣化エリアにおける移動端末との間の無線リンクの切断を抑制することができる。
【図面の簡単な説明】
【００１０】
【図１】無線基地局装置の一実施形態の構成図である。
【図２】移動端末の一実施形態の構成図である。
【図３】閾値決定動作の一実施形態の説明図である。
【図４】目標電力可変動作の一実施形態の説明図である。
【図５】呼情報管理テーブルの一実施形態を示す図である。
【図６】メジャメント・レポート受信時処理の一実施形態のフローチャートである。
【図７】ＳＲＳ信号受信時処理の一実施形態のフローチャートである。
【図８】ＲＳＲＱと目標電力値の時間変化を示す図である。
【発明を実施するための形態】
【００１１】
以下、図面に基づいて実施形態を説明する。
【００１２】
＜無線基地局装置の構成＞
図１に無線基地局装置の一実施形態の構成図を示す。図１において、無線基地局装置１０は、伝送路インタフェース１１と、Ｌ２（レイヤー２）スイッチ１２と、制御管理部１３と、ベースバンド処理部１４と、無線インタフェース１５とを有する。
【００１３】
伝送路インタフェース１１はＩＰネットワーク２０を介して上位交換機であるＳ−ＧＷ（Ｓｅｒｖｉｎｇ−Ｇａｔｅｗａｙ）２１やＭＭＥ（Ｍｏｂｉｌｉｔｙ  Ｍａｎａｇｅｍｅｎｔ  Ｅｎｔｉｔｙ）２２に接続されると共に、基地局監視装置２３を介してＳＯＮ（Ｓｅｌｆ  Ｏｐｔｉｍｉｚｉｎｇ  Ｎｅｔｗｏｒｋ）サーバ２４に接続されている。伝送路インタフェース１１はＳ−ＧＷ２１，ＭＭＥ２２，基地局監視装置２３，ＳＯＮサーバ２４との間で情報の送受信を行う。
【００１４】
Ｌ２スイッチ１２は伝送路インタフェース１１と接続されると共に、無線基地局装置１０内の制御管理部１３、ベースバンド処理部１４、無線インタフェース１５それぞれと接続されており、伝送路インタフェース１１、制御管理部１３、ベースバンド処理部１４、無線インタフェース１５それぞれの間でレイヤー２パケットのスイッチングを行う。
【００１５】
制御管理部１３はＬ２スイッチ１２と接続されており、制御管理部１３はＣＰＵ１３１と、メモリ（ＭＥＭ）１３２と、呼情報管理テーブル１３３を有する。ＣＰＵ１３１は、メモリ１３２に格納されたプログラムに従って、各種制御を行う。メモリ１３２には、当該無線基地局装置１０を機能させるためのプログラムが格納される。呼情報管理テーブル１３３には移動端末を識別するための移動端末ＩＤ毎に、目標電力値情報とイベント情報が格納される（図５参照）。
【００１６】
制御管理部１３は呼処理を行う。また、制御管理部１３はリソース管理を行う。また、制御管理部１３は当該無線基地局装置１０と移動端末５０との間の接続制御を行う。更に、制御管理部１３は当該無線基地局装置１０と、移動端末５０との間の接続管理を行う。
【００１７】
また、制御管理部１３は移動端末５０に目標電力を通知する。また、制御管理部１３は移動端末５０に下りリンクの受信品質の測定を指示する。更に、制御管理部１３は上記指示に応じて移動端末５０から通知された下りリンクの受信品質であるＲＳＲＱ（Ｒｅｆｅｒｅｎｃｅ  Ｓｉｇｎａｌ  Ｒｅｃｅｉｖｅｄ  Ｑｕａｌｉｔｙ）を解析してＳＯＮサーバ２４に送信する。また、制御管理部１３は移動端末５０に目標電力値を通知するためのＲＲＣコネクション信号を生成して移動端末５０に送信する。また、制御管理部１３は当該無線基地局装置１０の各部を監視し、制御する。
【００１８】
ベースバンド処理部１４は、Ｌ２スイッチ１２と接続されており、ベースバンド処理部１４はＤＳＰ（Ｄｉｇｉｔａｌ  Ｓｉｇｎａｌ  Ｐｒｏｃｅｓｓｏｒ）１４１と、メモリ（ＭＥＭ）１４２とを有する。ＤＳＰ１４１はメモリ１４２に格納されたプログラムに従って各種制御を行う。ベースバンド処理部１４は制御管理部１３との間で情報の入出力を行う。ベースバンド処理部１４はトラヒックの管理及び転送処理を行う。具体的には、ＧＴＰ（Ｇｅｎｅｒａｌ  Ｐａｃｋｅｔ  Ｒａｄｉｏ  Ｓｅｒｖｉｃｅ（ＧＰＲＳ）  Ｔｕｎｎｅｌｌｉｎｇ  Ｐｒｏｔｏｃｏｌ）の管理、ＧＴＰの転送処理を行う。また、ベースバンド処理部１４はトラヒックつまりセル状態を監視する。また、ベースバンド処理部１４は秘匿設定及び解除を行い、ＭＡＣ（Ｍｅｄｉａ  Ａｃｃｅｓｓ  Ｃｏｎｔｒｏｌ）多重及び分離を行い、同期処理を行い、ページング処理を行う。
【００１９】
また、ベースバンド処理部１４は移動端末５０から受信したＳＲＳ信号の受信レベルからＳＲＳ信号を送信した移動端末が現在いる場所の品質を測定し、測定した品質を品質閾値と比較して、比較結果を制御管理部１３に通知する。
【００２０】
無線インタフェース１５は、Ｉ／Ｏポート１５１と、Ａ／Ｄ及びＤ／Ａ変換回路１５２と、広帯域ＡＭＰ１５３と、アンテナ１５４とを有する。Ｉ／Ｏポート１５１はＬ２スイッチ１２と接続され、信号の入出力を行う。Ａ／Ｄ及びＤ／Ａ変換回路１５２はＩ／Ｏポート１５１からのデジタル信号をアナログ信号に変換して広帯域ＡＭＰ１５２に供給する。また、Ａ／Ｄ及びＤ／Ａ変換回路１５２は広帯域ＡＭＰ１５２からのアナログ信号をデジタル信号に変換してＩ／Ｏポート１５１に供給する。
【００２１】
広帯域ＡＭＰ１５２はＡ／Ｄ及びＤ／Ａ変換回路１５２からのアナログ信号を増幅してアンテナ１５４から対応するセル４０に送信する。また、広帯域ＡＭＰ１５２はアンテナ１５４でセル４０から受信したアナログの信号を増幅してＡ／Ｄ及びＤ／Ａ変換回路１５２に供給する。
【００２２】
＜移動端末の構成＞
図２は移動端末の一実施形態の構成図を示す。図２において、移動端末５０はアンテナ５１、ＲＦ（高周波）回路部５２、ＣＰＵ／メモリコントローラ／グラフィックコントローラ５３、メモリ５４、オーディオ部５５、表示部５６、ＧＰＳ受信部５７を有している。
【００２３】
ＲＦ回路部５２はアンテナ５１を用い無線基地局１０との間で無線通信を行い、高周波信号の変復調、データの符号化及び復号を行う。
【００２４】
ＣＰＵ／メモリコントローラ／グラフィックコントローラ５３は、メモリ５４に格納されたプログラムに従って、各種制御を行う。ＣＰＵ／メモリコントローラ／グラフィックコントローラ５３内のＣＰＵでメモリ５４を使用して携帯電話の各種処理を実行する。また、メモリコントローラでメモリ５４の書き込みと読み出しを制御する。また、グラフィックコントローラで表示部５６に画像を表示する。
【００２５】
また、ＣＰＵ／メモリコントローラ／グラフィックコントローラ５３は無線基地局装置１０から報知情報で通知された目標電力をメモリ５４に格納し、この目標電力に基づいて送信電力を決定する。そして、ＲＦ回路部５２に決定した送信電力で送信するように制御する。また、ＣＰＵ／メモリコントローラ／グラフィックコントローラ５３は無線基地局装置１０から測定情報を受信すると、ＲＦ回路部５２にＲＳＲＱを測定させ、ＲＳＲＱからイベントＡ１／Ａ２／Ａ３それぞれの判別を行う。そして、イベントＡ１／Ａ２／Ａ３の発生時には上記イベント情報と測定したＲＳＲＱ及び自移動端末の位置情報を含むメジャメント・レポートを生成して無線基地局装置１０に送信する。
【００２６】
オーディオ部５５はマイクロホンからの入力音声の処理、ＣＰＵ／メモリコントローラ／グラフィックコントローラ５３から供給される受信音声データの処理、等の音声処理を行う。
【００２７】
ＧＰＳ受信部５７は４（または３）個以上の捕捉衛星情報から自移動端末の３次元（または２次元）位置情報を評定測位し、自移動端末の位置情報としてＣＰＵ／メモリコントローラ／グラフィックコントローラ５３に通知する。
【００２８】
＜閾値決定動作＞
図３は閾値決定動作の一実施形態の説明図を示す。
【００２９】
シーケンスＳＱ１：各移動端末は一定周期でセル内の各位置における信号の品質であるＲＳＲＱ（Ｒｅｆｅｒｅｎｃｅ  Ｓｉｇｎａｌ  Ｒｅｃｅｉｖｅｄ  Ｑｕａｌｉｔｙ）の測定を行う。移動端末５０は測定したＲＳＲＱ及び位置情報をメジャメント・レポートにて無線基地局装置１０に対して通知する。
【００３０】
シーケンスＳＱ２：無線基地局装置１０は移動端末５０から受信したＲＳＲＱ及び位置情報をＩＰネットワーク２０，基地局監視装置２３を経由してＳＯＮサーバ２４に送信する。
【００３１】
シーケンスＳＱ３：ＳＯＮサーバ２４では、ＲＳＲＱ及び位置情報を基にセル内で品質劣化となるＲＳＲＱ閾値を決定する。なお、このＲＳＲＱ閾値は第１閾値に対応する。
【００３２】
シーケンスＳＱ４：ＳＯＮサーバ２４は決定したＲＳＲＱ閾値を、基地局監視装置２３を経由して無線基地局装置１０に送信する。
【００３３】
シーケンスＳＱ５：無線基地局装置１０はアタッチ時に移動端末５０に対し、ＲＳＲＱ閾値をＲＲＣコネクション・リコンフィギュレーション・メッセージのメジャメント・コンフィギュレーション情報として通知する。
【００３４】
＜目標電力可変動作＞
図４は目標電力可変動作の一実施形態の説明図を示す。まず、移動端末５０が品質良好エリアに存在する場合について説明する。
【００３５】
シーケンスＳＱ１１：無線基地局装置１０はセル内の移動端末５０に対し報知情報すなわちＲＲＣコネクション・リコンフィギュレーション・メッセージのアップリンクパワー制御ＩＥ（ｉｎｆｏｒｍａｔｉｏｎ  ｅｌｅｍｅｎｔ）のｐ０−Ｎｏｍｉｎａｌ  ＰＵＳＣＨにて目標電力を通知する。なお、上記のＲＲＣコネクション・リコンフィギュレーション・メッセージを「ＲＲＣコネクション信号」とも呼び、報知情報で通知された目標電力を「目標電力値の初期値」と呼ぶ。
【００３６】
上記報知情報を受信した移動端末５０は受信した目標電力値の初期値を基に、標準化で規定された計算式を用いて送信電力を決定しデータ通信を行う（例えば３ＧＰＰ  ＴＳ３６．２１３，５．１．１．１参照）。
【００３７】
シーケンスＳＱ１２：移動端末５０のアタッチ時に無線基地局装置１０から当該移動端末５０に対し測定情報を通知する。この測定情報は、ＲＲＣコネクション・リコンフィギュレーション・メッセージのメジャメント・コンフィギュレーションＩＥにて、レポートタイプ（イベントＡ１／Ａ２／Ａ３）を通知するものであり、また、ＲＳＲＱ閾値を含んでいる。
【００３８】
イベントＡ１はサービングセル（移動端末５０が接続しているセル４０）の受信品質ＲＳＲＱがＲＳＲＱ閾値より良くなったときに発生し、移動端末５０はイベントＡ１の発生と測定したＲＳＲＱ及び位置情報をメジャメント・レポートで無線基地局装置１０に通知する。
【００３９】
イベントＡ２はサービングセルの品質がＲＳＲＱ閾値より悪くなったときに発生し、移動端末５０はイベントＡ２の発生と測定したＲＳＲＱ及び位置情報をメジャメント・レポートで無線基地局装置１０に通知する。ただし、ハンドオーバは実施しない。
【００４０】
イベントＡ３は隣接セルの品質がサービングセルの品質に対し予め設定されている所定のオフセット値以上に良くなったときに発生し、移動端末５０はハンドオーバを行うためのイベントＡ１の発生と測定したＲＳＲＱ及び位置情報をメジャメント・レポートで無線基地局装置１０に通知する。
【００４１】
無線基地局装置１０より測定情報を通知された移動端末５０は、通知された測定情報を基に一定周期で現在位置における信号の品質であるＲＳＲＱの測定を行う。移動端末５０は上記イベントの発生によりメジャメント・レポートにて測定したＲＳＲＱ及び位置情報を無線基地局装置１０に通知する。
【００４２】
シーケンスＳＱ１３：移動端末５０はデータ通信時にＳＲＳ（Ｓｏｕｎｄｉｎｇ  Ｒｅｆｅｒｅｎｃｅ  Ｓｉｇｎａｌ）信号を無線基地局装置１０に送信し、ＳＲＳ信号を受信した無線基地局装置１０にて移動端末５０が現在いる場所の品質状況を確認する。移動端末５０が現在いる場所の品質が良いと判断した場合には、現状の目標電力値で通信を継続する。
【００４３】
次に、移動端末５０が品質劣化エリアに移動した場合について説明する。
【００４４】
シーケンスＳＱ１４：移動端末５０が品質劣化エリアに移動した場合、移動端末５０は無線基地局装置１０に対し測定結果としてイベントＡ２のメジャメント・レポートを報告する。イベントＡ２のメジャメント・レポートの報告を受けた無線基地局装置１０では、呼情報管理テーブル１３３の当該移動端末５０に対応する移動端末ＩＤのイベント情報にイベントＡ２を記憶して、当該移動端末５０が品質劣化環境に移動したこと認識する。図５に示す呼情報管理テーブル１３３では移動端末ＩＤが「Ｃ」の移動端末でイベントＡ２が発生したことを示している。
【００４５】
シーケンスＳＱ１５：移動端末５０は無線基地局装置１０に対しデータ通信時にＳＲＳ信号を送信し、信号を受信した無線基地局装置１０にて移動端末５０が現在いる場所の品質状況を測定する。無線基地局装置１０にてＳＲＳ信号から測定した品質が予め設定されている品質閾値以下であると判断した場合は、該当移動端末５０よりイベントＡ２のメジャメント・レポートが報告されているか否かを呼情報管理テーブル１３３にて確認する。この品質閾値は第２閾値に対応する。
【００４６】
シーケンスＳＱ１６：無線基地局装置１０はシーケンスＳＱ１４にてイベントＡ２の報告を受信している場合、当該移動端末５０に対する目標電力値を例えば１ｄＢｍだけ増加させて更新し、呼情報管理テーブル１３３に更新後の目標電力値を記憶し、更新後の目標電力値をＲＲＣコネクション・リコンフィギュレーションにて当該移動端末５０に通知する。
【００４７】
図５に示す呼情報管理テーブル１３３では移動端末ＩＤが「Ｃ」の移動端末に対応する移動端末ＩＤの目標電力値が目標電力の初期値である「５」から「６」に更新されたことを示している。移動端末５０は通知された更新後の目標電力値を基に送信電力を決定し、データ通信を行う。
【００４８】
無線基地局装置１０は、再度シーケンスＳＱ１５で当該移動端末５０からの品質状況を確認し、ＳＲＳ信号から品質が悪いと判断した場合はシーケンスＳＱ１６の動作を繰り返す。なお、最終的に目標電力値が予め決められている上限値に達した場合には、再接続を促すか、又は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの他のＲＡＴ（Ｒａｄｉｏ  Ａｃｃｅｓｓ  Ｔｅｃｈｎｏｌｏｇｙ）への接続を促す。
【００４９】
シーケンスＳＱ１７：シーケンスＳＱ１５で当該移動端末５０からの品質状況を測定し、最終的に測定した品質が品質閾値を超えて良くなった時点の目標電力値にて、当該移動端末５０はデータ通信を行う。
【００５０】
シーケンスＳＱ１８：移動端末５０における測定結果より、移動端末５０の現在位置のＲＳＲＱがＲＳＲＱ閾値を上回ったと判断した場合、当該移動端末５０は無線基地局装置１０に対し、測定結果としてイベントＡ１のメジャメント・レポートを報告する。報告を受けた無線基地局装置１０にて、移動端末５０が品質良好環境に移動したものと判断し、呼情報管理テーブル１３３の当該移動端末５０に対応する送信電力として目標電力値の初期値を記憶して更新する。その後、ＲＲＣコネクション・リコンフィギュレーション・メッセージにて「目標電力値の初期値」を当該移動端末５０に通知する。
【００５１】
＜メジャメント・レポート受信時処理＞
図６は無線基地局装置１０がメジャメント・レポート受信時に実行する処理の一実施形態のフローチャートを示す。無線基地局装置の制御管理部１３はステップＳ１で受信したメジャメント・レポートの情報を解析する。
【００５２】
制御管理部１３はステップＳ２で受信したメジャメント・レポートのレポートタイプがイベントＡ１であるか否かを判別する。レポートタイプがイベントＡ１の場合には制御管理部１３はステップＳ３で呼情報管理テーブル１３３の当該移動端末（メジャメント・レポートを送信した移動端末）に対応する移動端末ＩＤのイベント情報に「イベントＡ１」を設定する。
【００５３】
この後、制御管理部１３はステップＳ４で呼情報管理テーブル１３３の当該移動端末に対応する目標電力値情報が「目標電力値の初期値」であるか否かを判別する。目標電力値情報が「目標電力値の初期値」ではない場合、制御管理部１３はステップＳ５で呼情報管理テーブル１３３の当該移動端末に対応する目標電力値情報に「目標電力値の初期値」を設定する。
【００５４】
そして、ステップＳ６で制御管理部１３は当該移動端末に「目標電力値の初期値」を通知するためのＲＲＣコネクション信号を送信し、この処理を終了する。なお、ステップＳ４で呼情報管理テーブル１３３の当該移動端末に対応する目標電力値情報が「目標電力値の初期値」である場合も、この処理を終了する。
【００５５】
一方、ステップＳ２でレポートタイプがイベントＡ１以外の場合には、制御管理部１３はステップＳ７でレポートタイプがイベントＡ２であるか否かを判別する。レポートタイプがイベントＡ２の場合には制御管理部１３はステップＳ８で呼情報管理テーブル１３３の当該移動端末に対応する移動端末ＩＤのイベント情報に「イベントＡ２」を設定する。
【００５６】
ステップＳ７でレポートタイプがイベントＡ２でない場合、又は、ステップＳ８を実行後、ステップＳ９で制御管理部１３はステップＳ１０でレポートタイプがイベントＡ３であるか否かを判別する。レポートタイプがイベントＡ３の場合には制御管理部１３はステップＳ１０でハンドオーバ処理を実行して、この処理を終了する。ステップＳ９でレポートタイプがイベントＡ３ではない場合は、この処理を終了する。
【００５７】
＜ＳＲＳ信号受信時処理＞
図７は無線基地局装置１０がＳＲＳ信号受信時に実行する処理の一実施形態のフローチャートを示す。無線基地局装置のベースバンド処理部１４はステップＳ２１で受信したＳＲＳ信号の受信レベルからＳＲＳ信号を送信した移動端末が現在いる場所の品質を測定する。ベースバンド処理部１４はステップＳ２２で測定した品質が予め設定されている品質閾値未満であるか否かを判別する。なお、品質閾値は、測定した品質つまりＳＲＳ信号の受信レベルが所定の受信レベル未満の場合は移動端末が現在いる場所の品質が悪いとみなす値である。測定した品質が品質閾値以上であれば、この処理を終了する。
【００５８】
測定した品質が品質閾値未満であれば、ステップＳ２３でベースバンド処理部１４は測定した品質を制御管理部１３に通知する。次に、ステップＳ２４で制御管理部１３は呼情報管理テーブル１３３の当該移動端末に対応する移動端末ＩＤのイベント情報を参照する。ステップＳ２５で制御管理部１３は呼情報管理テーブル１３３から参照したイベント情報がイベント２であるか否かを判別する。イベント情報がイベント２ではない場合は、この処理を終了する。
【００５９】
イベント情報がイベント２の場合には、制御管理部１３はステップＳ２６で呼情報管理テーブル１３３から当該移動端末に対応する目標電力値情報を取得する。次に、制御管理部１３はステップＳ２７で取得した目標電力値が予め設定されている上限値以上であるか否かを判別する。目標電力値が上限値未満であれば、制御管理部１３はステップＳ２８で目標電力値を例えば１ｄＢｍだけ加算し、加算した結果が上限値を超えた場合には上限値に変更し、呼情報管理テーブル１３３の当該移動端末に対応する目標電力値情報を更新する。そして、制御管理部１３はステップＳ２９で更新後の目標電力値をＲＲＣコネクション信号にて当該移動端末に送信し、この処理を終了する。
【００６０】
一方、ステップＳ２７で目標電力値が上限値以上であれば、制御管理部１３はステップＳ３０で再接続を促すか、又は、他のＲＡＴへの接続を促して、この処理を終了する。
【００６１】
＜ＳＲＳ信号受信時処理＞
図８に移動端末の移動によるＲＳＲＱと目標電力値の時間変化を示す。期間Ｔ１では、実線Ｉで示す移動端末で測定したＲＳＲＱが破線Ｊで示すＲＳＲＱ閾値より大きく、移動端末の現在位置は品質良好エリアである。この場合、当該移動端末の目標電力値は一点鎖線Ｋで示すように目標電力値の初期値を維持する。
【００６２】
次の期間Ｔ２では、実線Ｉで示す移動端末で測定したＲＳＲＱが破線Ｊで示すＲＳＲＱ閾値以下となり、移動端末の現在位置は品質劣化エリアである。この場合、当該移動端末はイベントＡ２のメジャメント・レポートを無線基地局装置１０に報告し、無線基地局装置１０ではＳＲＳ信号から測定した品質が品質閾値以下となるために、当該移動端末の目標電力値は一点鎖線Ｋで示すように例えば１ｄＢｍ単位で徐々に増加する。
【００６３】
次の期間Ｔ３では、実線Ｉで示す移動端末で測定したＲＳＲＱが破線Ｊで示すＲＳＲＱ閾値より大きく、移動端末の現在位置は品質良好エリアである。この場合、当該移動端末の目標電力値は一点鎖線Ｋで示すように目標電力値の初期値まで低下する。
【００６４】
このようにして、本実施形態では、移動端末がビル陰のような品質劣化エリアにおいて、アタッチ及び通信中の目標電力値を一時的に大きくし、移動端末と無線基地局間のＲＲＣコネクション切断を抑制し、再接続率の低下及びデータ通信再開に要する時間短縮を図ることができ、ユーザ満足度を向上することができる。
【００６５】
なお、本実施形態では、移動端末におけるダウンリンクの品質が劣化して移動端末から無線基地局装置１０にイベントＡ２を通知した後、無線基地局装置１０で移動端末からのＳＲＳ信号を測定してアップリンクの品質が劣化したと判断した場合に、移動端末に対する目標電力値を目標電力値の初期値から増加させている。
【００６６】
しかし、これに限らず、移動端末におけるダウンリンクの品質が劣化して移動端末から無線基地局装置１０にイベントＡ２を通知したときに移動端末に対する目標電力値を目標電力値の初期値から増加させる構成としても良い。ただし、本実施形態のように、イベントＡ２の通知後、無線基地局装置１０でアップリンクの品質が劣化したことを判断したときに目標電力値を増加させる構成とした方が品質劣化エリアを正確に判断することができる。
【符号の説明】
【００６７】
１０  無線基地局装置
１１  伝送路インタフェース
１２  Ｌ２スイッチ
１３  制御管理部
１３１  ＣＰＵ
１３２  メモリ
１３３  呼情報管理テーブル
１４  ベースバンド処理部
１４１  ＤＳＰ
１４２  メモリ
１５  無線インタフェース
２０  ＩＰネットワーク
２１  Ｓ−ＧＷ
２２  ＭＭＥ
２３  基地局監視装置
２４  ＳＯＮサーバ
４０  セル
５０  移動端末
５１  アンテナ
５２  ＲＦ回路部
５３  ＣＰＵ／メモリコントローラ／グラフィックコントローラ
５４  メモリ
５５  オーディオ部
【図１】
0005845786.tif 000002
【図２】
0005845786.tif 000003
【図３】
0005845786.tif 000004
【図４】
0005845786.tif 000005
【図５】
0005845786.tif 000006
【図６】
0005845786.tif 000007
【図７】
0005845786.tif 000008
【図８】
0005845786.tif 000009